(57)【要約】  【課題】  ユーザー操作の負担を軽減する。  【解決手段】  ＣＰＵ１０４は、フラグＦＬＧが１から０に更新されたか否かを判別する。ＣＰＵ１０４は、フラグＦＬＧが１から０に更新されたと判別した場合、通信Ｉ／Ｆ１０６にタブレット２０をスリープさせるためのスリープ信号を出力させる。スリープ信号の出力が完了すると、ＣＰＵ１０４は通信Ｉ／Ｆ１０６への電力供給を遮断させ、スリープモードに移行する。タブレット２０は、スリープ信号を受信すると、動作モードをスリープモードに切り換える。【選択図】    図２
2014071517.tif 000002
【特許請求の範囲】
【請求項１】
筆記部を有し、該筆記部の筆記動作によって入力された情報を表示機器に表示させる入力機器であって、
前記筆記部の動きを検知する動き検知手段、
前記動き検知手段によって検知された動きを示す情報を前記表示機器に送信する第１送信手段、
前記表示機器を制御する制御信号を該表示機器に送信する第２送信手段、
前記動きを示す情報が条件を満たすか否かを繰り返し判別する判別手段、および
前記判別手段に手段によって前記動きを示す情報が第１条件を満たすと判別された場合に、前記表示機器を第１動作モードで動作させる第１制御信号を前記表示機器に送信すると共に前記第１送信手段を停止させる第１制御手段、を備える入力機器。
【請求項２】
前記判別手段に手段によって前記動きを示す情報が第２条件を満たすと判別された場合に、前記表示機器を前記第１動作モードよりも消費電力が大きい第２動作モードで動作させる第２制御信号を前記表示機器に送信すると共に前記第１送信手段を停止から復帰させる第２制御手段、を備える請求項１記載の入力機器。
【請求項３】
前記第１条件は、前記表示機器が前記第２動作モードで動作中で、且つ、前記動き検知手段によって検知された前記筆記部の動きが第１閾値以下であった場合であり、
前記第２条件は、前記表示機器が前記第１動作モードで動作中で、且つ、前記動き検知手段によって検知された前記筆記部の動きが第２閾値以上であった場合である請求項２記載の入力機器。
【請求項４】
自装置への接触を検知する接触検知手段を有し、該接触検知手段による検知結果と、入力機器から送信される動き情報に基づいて該入力機器によって入力された情報を表示部に表示する表示機器であって、
前記入力機器から出力される制御信号を受信する受信手段、
前記受信手段によって受信した制御信号に応じて自装置の動作モードを切り換える制御手段、を備える表示機器。
【請求項５】
情報を筆記入力するための筆記部を備える入力機器と、該入力機器によって入力された情報を表示する表示機器とを備える筆記入力システムであって、
前記入力機器と前記表示機器との間で通信を行う通信手段を備え、
前記入力機器は、
前記筆記手段の動きを検知する動き検知手段、
前記動き検知手段によって検知された動きを示す情報を前記表示機器に送信する第１送信手段、
前記表示機器を制御する制御信号を前記表示機器に送信する第２送信手段
前記動きを示す情報が条件を満たすか否かを繰り返し判別する判別手段、および
前記判別手段に手段によって前記動きを示す情報が第１条件を満たすと判別された場合に、前記表示機器を第１動作モードで動作させる第１制御信号を前記表示機器に送信すると共に前記第１送信手段を停止させる第１制御手段を含み、
前記表示機器は、前記第１制御信号を受信したことに応じて自装置の動作モードを前記第１動作モードに切り換える筆記入力システム。
【請求項６】
前記入力機器は、前記判別手段に手段によって前記動きを示す情報が第２条件を満たすと判別された場合に、前記表示機器を前記第１動作モードよりも消費電力が大きい第２動作モードで動作させる第２制御信号を前記表示機器に送信すると共に前記第１送信手段を停止から復帰させる第２制御手段、をさらに備え、
前記表示機器は、前記第２制御信号を受信したことに応じて自装置の動作モードを前記第２動作モードに切り換える請求項５記載の筆記入力システム。
【発明の詳細な説明】
【技術分野】
【０００１】
本発明は、入力機器に関し、特に入力機器と連動して動作する外部機器の動作制御に関わる。
【背景技術】
【０００２】
この種の発明が特許文献１に開示されている。特許文献１に開示の発明によると回転方向移動量検出部はボールの回転方向及び回転量を検出し、検出したボールの回転方向及び回転量を基にペン先端部の移動方向及び移動量を検出する。
【０００３】
Ｚs軸ジャイロはＺs軸周りの回転角速度を示す信号を出力する。補正部はＺs軸ジャイロを用いて検出したＺs軸周りの回転角速度を基に回転方向移動量検出部が検出したペン先端部の移動方向及び移動量を補正して、小型の装置で正確に図形入力等を行なう。
【０００４】
一般的に、この種の情報入力装置は、スタイラス等の入力機器と、入力装置を介して入力された情報を描画表示（可視化）するための表示機器とから構成される。
【特許文献１】特開平１１−９５９１５号公報
【発明の概要】
【発明が解決しようとする課題】
【０００５】
これらの機器は一般的にバッテリーによって駆動される。そのため、駆動時間を延長するためには、使用状況に応じて使用者が自らこれらの情報入力装置の動作をスリープ（中断）させる、あるいは電源オフ（終了）させる必要がある。
【０００６】
しかしながら、情報入力装置をスリープ、または電源オフさせるためには、使用者が入力機器および表示機器の各々を操作することで、各機器をスリープモードにする、あるいは電源をオフにしなければならず、使用者にとって負担だった。
【課題を解決するための手段】
【０００７】
本発明は、上記課題に鑑みてなされたものであり、自装置の動きを検知する検知手段、および前記検知手段による検知結果にしたがって表示機器を制御する制御手段、を備え、前記制御手段は、前記表示機器が第１動作モードで動作中に前記検知手段によって検知された動きが第１条件を満たす場合に該表示機器の動作を前記第２動作モードに切り換えさせ、前記が第２動作モードで動作中に、前記検知手段によって検知された前記入力機器の動きが第２条件を満たす場合に、前記表示機器を前記第１動作モードに切り換えさせることを特徴とする。
【０００８】
本発明にかかる入力機器によると、表示機器が第１動作モードで動作中に入力機器の状態が第１条件を満たすと、自動的に表示機器の動作モードを第２動作モードに切り換えさせる。
【０００９】
したがって、煩わしい操作を行うことなく、表示機器の動作モードを適宜切り換えることができる。
【発明の効果】
【００１０】
本発明によると、ユーザーの操作の負担を軽減できる。また、誤操作や操作忘れなどにより表示機器の動作が切り換わらなかったことによって、無駄に電力を消費することを防ぐことができる。
【図面の簡単な説明】
【００１１】
【図１】本発明にかかる情報入力装置の外観斜視図である。
【図２】本発明にかかる情報入力装置の構成の概略を示すブロック図である。
【図３】加速度転送タスクにおけるＣＰＵ１０４の処理動作を示すフローチャートである。
【図４】描画タスクにおけるＣＰＵ２０８の処理動作を示すフローチャートである。
【図５】通常モードとスリープモードにおける各部位の動作状態を示す図解図である。
【図６】計時タスクにおけるＣＰＵ１０４の処理動作を示すフローチャートである。
【図７】動作制御タスク（スタイラス）におけるＣＰＵ１０４の処理動作を示すフローチャートである。
【図８】動作制御タスク（タブレット）におけるＣＰＵ２０８の処理動作を示すフローチャートである。
【発明を実施するための形態】
【００１２】
［実施例］
（情報入力装置の構成の概略）
本発明の一実施形態について、図１に示すような情報入力装置に適用した場合について説明する。
【００１３】
本実施例にかかる情報入力装置は先端部１０ａを備えるペン型の入力機器１０とタッチパネル２０４を備えた表示部２０２を備える表示機器２０とからなる。
【００１４】
尚、以下では入力機器１０をスタイラス１０、表示機器２０をタブレット２０と記載する。図２は本実施例に係る情報入力装置の構成の概略を示すブロック図である。
【００１５】
スタイラス１０は、先端部１０ａの動きを検出する加速度センサ１０２と、自装置の動作を制御するＣＰＵ（Central Processing Unit）１０４、およびタブレット２０と通信を行うための通信Ｉ／Ｆ（Interface）１０６、を備える。
【００１６】
タブレット２０は、スタイラス１０を介して入力された情報を表示する表示部２０２、スタイラス１０の接触を検出するタッチパネル２０４、およびスタイラス１０と通信を行うための通信Ｉ／Ｆ２０６を備える。
【００１７】
また、タブレット２０は、自装置の動作を制御するＣＰＵ２０８、タブレット２０を制御するための制御プログラムが格納されているＲＯＭ（Read Only Memory）２１０、およびスタイラス１０から受信した入力データを一時記憶するためのＲＡＭ（Random Access Memory）２１２を備える。
【００１８】
表示部２０２は、例えば、ＬＣＤ（Liquid Crystal Display）モニタや有機ＥＬ（Electro-Luminescence）モニタが使用される。
【００１９】
通信Ｉ／Ｆ１０６，２０６によって行われる通信方式は、例えば、無線ＬＡＮ(Local Area Network)、Ｂｌｕｅｔｏｏｔｈ（登録商標）通信、およびＩｒＤＡなどの無線通信が好ましいが、ＵＳＢ（Universal Serial Bus）などによる有線通信でも構わない。
【００２０】
有線通信の場合、例えば、ＵＳＢケーブルなどの通信ケーブルによってスタイラス１０とタブレット２０が接続される。
【００２１】
ＲＯＭ２１０は、例えば、マスクＲＯＭ、或いはＰＲＯＭ（Programmable ROM）などのなどの一般的に用いられているＲＯＭが使用される。
【００２２】
ＲＡＭ２１２は、例えば、ＶＲＡＭ（Video Random Access Memory）、ＳＲＡＭ（Static Random Access Memory）、ＤＲＡＭ（Dynamic Random Access Memory）、或いはＳＤＲＡＭ（Synchronous DRAM）などの一般的に用いられているＲＡＭが使用される。
【００２３】
（スタイラス１０による情報入力とタブレット２０の描画処理）
図３および図４を参照して、本実施例にかかる情報入力装置の通常モード時の処理動作について説明する。
【００２４】
尚、本実施例でいう通常モードとは、スタイラス１０による情報入力、およびスタイラス１０によって入力された情報をタブレット２０に描画表示可能な状態を指す。
【００２５】
スタイラス１０、およびタブレット２０はそれぞれバッテリー（図示せず。）で駆動される。
【００２６】
ユーザーによりスタイラス１０の電源がオンされると、バッテリーからスタイラス１０の各部に電力が供給される。
【００２７】
スタイラス１０の電源がオンされると、ＣＰＵ１０４は、加速度転送タスク（図３）を開始する。ＣＰＵ１０４は、加速度センサ１０２から出力される先端部１０ａの動作、即ち加速度を検出し、ＣＰＵ１０４に出力する（Ｓ３０１）。
【００２８】
ＣＰＵ１０４は、フラグＦＬＧの値を参照（Ｓ３０３）し、フラグＦＬＧの値が０であるか否かを判別する。
【００２９】
フラグＦＬＧは、スタイラス１０、およびタブレット２０がスリープモードであるか否かを示す変数である。
【００３０】
スタイラス１０、およびタブレット２０がスリープモードである場合はフラグＦＬＧは０に設定され、それ以外の場合はフラグＦＬＧは１に設定される。尚、スリープモードの詳細については後述する。
【００３１】
ＣＰＵ１０４は、フラグＦＬＧが０である場合は加速度の検出を繰り返し（Ｓ３０３でＹｅｓ）、そうでない場合（Ｓ３０３でＮｏ）は検出した加速度を通信Ｉ／Ｆ１０６からタブレット２０へ出力させる。
【００３２】
この加速度転送タスクは、スタイラス１０の電源がオフされるまで繰り返される。また、加速度転送タスクを制御するための制御プログラムは、スタイラス１０が備えるメモリ（図示せず。）に記憶されていても良いし、ＣＰＵ１０４が備えるファームメモリに記憶されていても良い。
【００３３】
ユーザーによりタブレット２０の電源がオンされると、バッテリーは、タブレット２０の各部に電力が供給される。
【００３４】
タブレット２０の電源がオンされると、通信Ｉ／Ｆ２０６はスタイラス１０の通信Ｉ／Ｆ１０６から出力される加速度を受信し、逐次ＣＰＵ２０８に出力する。
【００３５】
ＣＰＵ２０８は、描画タスク（図４）を開始する。ＣＰＵ２０８は、タッチパネル２０４にスタイラス１０の先端部１０ａが接触したか否かを繰り返し検出（Ｓ４０１でＮｏ）する。
【００３６】
タッチパネル２０６上には、押圧を検知するスイッチがマトリクス上に配置されている。このスイッチは、押圧を受けるとオンされ、押圧が解除されるとオフされるようになっている。
【００３７】
即ち、このスイッチのいずれかがオンになったか否かでスタイラス１０の先端部１０ａがタッチパネル２０４に接触したか否かを検出することができる。
【００３８】
ＣＰＵ２０８は、タッチパネル２０４に先端部１０ａが接触したことを検出した場合、即ち、タッチパネル２０４上に配置されたスイッチのいずれかがオンされた場合（Ｓ４０１でＹｅｓ）、当該スイッチが配置された位置を描画の始点に設定する（Ｓ４０３）。
【００３９】
次に、ＣＰＵ２０８は、先端部１０ａのタッチパネル２０４への接触位置が変化したか否かを繰り返し判別する。接触位置が変化したか否かは、タッチパネル２０４上に配置されたスイッチのオン／オフ状態が変化したか否かで判別できる。
【００４０】
ＣＰＵ２０８先端部１０ａのタッチパネル２０４への接触位置が変化したと判別した場合、ＣＰＵ２０８は、接触位置が遷移している期間にスタイラス１０から受信した加速度に基づき軌跡を生成する（Ｓ４０７）。
【００４１】
続いて、ＣＰＵ２０８は、生成した軌跡にしたがって、上述の接触位置（換言すると先端部１０ａがタッチパネル２０４上を移動したことによりオンにされたスイッチ間）を結ぶ線を表示部２０２に表示（Ｓ４０９）させる。尚、表示部２０２のとタッチパネル２０４は同一の大きさであり、表示部２０２の軌跡表示位置とタッチパネル２０４の接触検出位置は対応している。
【００４２】
ＣＰＵ２０８は、先端部１０ａのタッチパネル２０４上への接触が解除される（Ｓ４１１でＹｅｓ）まで上述した処理を繰り返す。
【００４３】
スタイラス１０およびタブレット２０が上述した処理動作を行うことで情報入力装置の通常モードが実行される。
【００４４】
（スリープモードへの移行とスリープモードからの復帰）
情報入力装置は、通常モード時に一定時間スタイラス１０が使用されていないと判断した場合に、自動的にスタイラス１０およびタブレット２０をスリープモードに切り換える。
【００４５】
尚、ここでいうスリープモードとは、スタイラス１０およびタブレット２０の状態が通常モード時より消費電力が少ない状態になることを指す。
【００４６】
図５にスタイラス１０、およびタブレット２０の通常モード時とスリープモード時の動作状況を示す。
【００４７】
スタイラス１０は、スリープモードに移行すると通信Ｉ／Ｆ１０６がオフされる。一方、タブレット２０はスリープモードに移行すると、表示部２０２、タッチパネル２０４、ＲＯＭ２１０がオフされる。
【００４８】
スリープモードへの移行は計時タスクおよび動作制御タスク（スタイラス）および動作制御タスク（タブレット）によって制御される。
【００４９】
計時タスクおよび動作制御タスク（スタイラス）は、ＣＰＵ１０４によって、加速度転送タスクと並行してスタイラス１０内部で実行される。
【００５０】
動作制御タスク（タブレット）は、ＣＰＵ２０８によって描画タスクと並行してタブレット２０内部で実行される。
【００５１】
最初に計時タスクについて説明する。ＣＰＵ１０４は、計時タスク起動時にフラグＦＬＧを１に設定する。
【００５２】
このフラグＦＬＧは、後述する動作制御タスクにおいてスタイラス１０、およびタブレット２０をスリープモードに切り換えるか否かを判別するためのフラグである。
【００５３】
続いてＣＰＵ１０４は、計時カウント値ＣＬＫをリセットし計時カウントを開始する。
【００５４】
計時カウント値ＣＬＫは、計時カウントを開始してからの経過時間を示す値であり、ＣＰＵ１０４は、計時カウントを開始してから所定時間（例えば、１秒など）経過するごとに計時カウント値ＣＬＫをインクリメントする。
【００５５】
ＣＰＵ１０４は、加速度転送タスクによって検出される加速度が閾値ＴＨ１を上回るか否かを繰り返し判別し、加速度が閾値ＴＨ１を上回ると判別した場合は、計時カウント値ＣＬＫをリセットし、計時カウントをリスタートさせる。
【００５６】
一方、加速度転送タスクによって検出された加速度が閾値ＴＨ１以下であると判別している間は、計時カウント値ＣＬＫを所定時間毎にインクリメントし続ける。
【００５７】
ＣＰＵ１０４は、計時カウント値ＣＬＫが閾値ＴＨｃｌｋに達すると、フラグＦＬＧを０に更新し、計時カウントを停止する。
【００５８】
その後、ＣＰＵ１０４は、加速度転送タスクによって検出される加速度が閾値ＴＨ２を上回るか否かを繰り返し判別し、加速度が閾値ＴＨ２を上回ると判別した場合はフラグＦＬＧを１に更新し、上述した処理を繰り返す。
【００５９】
図５は、スタイラス１０のＣＰＵ１０４によって実行される計時カウントタスクの処理動作を示すフローチャートである。
【００６０】
ステップＳ６０１では、フラグＦＬＧを１に更新する。ステップＳ６０３では、計時カウント値ＣＬＫをリセットし、計時を開始する。
【００６１】
ステップＳ６０５では、加速度転送タスクにおいて検出された加速度が閾値ＴＨ１を上回るか否かを判別する。加速度がＴＨ１を上回る場合は、ステップＳ６０３に進みそうでない場合はステップＳ６０７に進む。
【００６２】
ステップＳ６０７では、計時カウント値ＣＬＫが閾値ＴＨｃｌｋに達したか否かを判別する。計時カウント値ＣＬｋがＴＨｃｌｋに達した場合はステップＳ６０９に進み、そうでない場合はステップＳ６０５に進む。
【００６３】
ステップＳ６０９では、フラグＦＬＧを０に更新する。ステップＳ６１１では計時を停止する
ステップＳ６１１では、加速度転送タスクにおいて検出された加速度が閾値ＴＨ２を上回るか否かを判別する。加速度がＴＨ２を話回る場合は、ステップＳ６０１に進みそうでない場合はステップＳ６１３を繰り返す。
【００６４】
次に動作制御タスクについて説明する。ＣＰＵ１０４は、フラグＦＬＧが０に更新されたか否かを繰り返し判別する。
【００６５】
ＣＰＵ１０４は、フラグＦＬＧが０になったと判別した場合、タブレット２０をスリープモードにするためのスリープ信号を通信Ｉ／Ｆ１０６に送信させる。通信Ｉ／Ｆ１０６はＣＰＵ１０４からの指示を受けて、スリープ信号をタブレット２０に送信する。
【００６６】
スリープ信号の送信が完了するとＣＰＵ１０４は、通信Ｉ／Ｆへの電力の供給を遮断する。これにより、通信Ｉ／Ｆがオフされ、スタイラス１０はスリープモードに移行する。
【００６７】
スリープモードに移行すると、ＣＰＵ１０４は、フラグＦＬＧが１に更新されたか否かを繰り返し判別する。
【００６８】
ＣＰＵ１０４は、フラグＦＬＧが１に更新されたと判別した場合、通信Ｉ／Ｆ１０６への電力の供給を再開させる。
【００６９】
これにより、通信Ｉ／Ｆ１０６はオンされる。続いてＣＰＵ１０４は、タブレット２０を通常モードに復帰させるための復帰信号を通信Ｉ／Ｆ１０６に送信させる。
【００７０】
通信Ｉ／Ｆ１０６はＣＰＵ１０４からの指示を受けて、復帰信号をタブレット２０に送信する。このようにしてスタイラス１０はスリープモードから通常モードに復帰する。
【００７１】
上述した処理を繰り返すことで、スタイラス１０は自装置およびタブレット２０の動作モードの制御を行う。
【００７２】
図７は、ＣＰＵ１０４によって実行される動作制御タスク（スタイラス）の処理動作を示すフローチャートである。
【００７３】
ステップＳ７０１では、ＣＰＵ１０４は、フラグＦＬＧが０に更新されたか否かを判別する。ＣＰＵ１０４がフラグＦＬＧが０に更新されたと判別した場合はステップＳ７０３に進み、そうでない場合はステップＳ７０１を繰り返す。
【００７４】
ステップＳ７０３では、ＣＰＵ１０４は、通信Ｉ／Ｆ１０６にスリープ信号を出力させる。ステップＳ７０５では、ＣＰＵ１０４は、通信Ｉ／Ｆ１０６への電力供給を遮断し、通信Ｉ／Ｆ１０６をオフにする。
【００７５】
ステップＳ７０７では、フラグＦＬＧが１に更新されたか否かを判別する。ＣＰＵ１０４がフラグＦＬＧが１に更新されたと判別した場合はステップＳ７０９に進み、そうでない場合はステップＳ７０７を繰り返す。
【００７６】
ステップＳ７０９では、ＣＰＵ１０４は、通信Ｉ／Ｆ１０６への電力供給を再開させ通信Ｉ／Ｆ１０６をオンにする。ステップＳ７１１では、ＣＰＵ１０４は、通信Ｉ／Ｆ１０６に復帰信号を出力させる。
【００７７】
一方、動作制御タスク（タブレット）は、ＣＰＵ２０８によって次のように制御される。
【００７８】
ＣＰＵ２０８は、通信Ｉ／Ｆ２０６が、スリープ信号を受信したか否かを繰り返し判別する。
【００７９】
ＣＰＵ２０８がスリープ信号を受信したと判別した場合、現在表示部２０２に表示中の描画データをＲＡＭ２１２に退避させる。
【００８０】
続いてＣＰＵ２０８は、表示部２０２、およびタッチパネル２０４への電力供給を遮断させる。これにより、表示部２０２、およびタッチパネル２０４をオフにされる。  このようにして、タブレット２０は、通常モードからスリープモードへ移行する。
【００８１】
タブレット２０がスリープモードに移行すると、ＣＰＵ２０８は、通信Ｉ／Ｆ２０６が復帰信号を受信したか否かを繰り返し判別する。
【００８２】
ＣＰＵ２０８が復帰信号を受信したと判別した場合、表示部２０２、およびタッチパネル２０４への電力供給を再開させ、表示部２０２、およびタッチパネル２０４をオンにする。
【００８３】
続いてＣＰＵ２０８は、ＲＡＭ２１２に一時退避させていた描画データ読み出し、読み出した描画データを表示部２０２に表示させる。
【００８４】
このようにして、タブレット２０は、スリープモードから通常モードへ復帰する。
上述した処理を繰り返すことで、タブレット２０は動作モードの制御を行う。
【００８５】
スタイラス１０、およびタブレット２０が上述のように動作することで、スタイラスの使用状況に応じて、複雑な操作を行うことなくスタイラス１０自身とタブレット２０が適宜スリープモードに切り換わる。これにより、ユーザーの操作負担を軽減すると共に、電力消費を抑えることができる。
【００８６】
図８は、ＣＰＵ２０８によって実行される動作制御モード（タブレット）の処理動作を示すフローチャートである。
【００８７】
ステップＳ８０１では、ＣＰＵ２０８は通信Ｉ／Ｆ２０６がスリープ信号を受信したか否かを判別する。ＣＰＵ２０８が、スリープ信号を受信したと判別した場合はステップＳ８０３に進み、そうでない場合はステップＳ８０１を繰り返す。
【００８８】
ステップＳ８０３では、ＣＰＵ２０８は、描画データをＲＡＭ２１２に一時退避させる。ステップＳ８０５では、ＣＰＵ２０８は、表示部２０２、およびタッチパネル２０４への電力供給を遮断し、表示部２０２、およびタッチパネル２０４をオフにする。
【００８９】
ステップＳ８０７では、ＣＰＵ２０８は通信Ｉ／Ｆ２０６が復帰信号を受信したか否かを判別する。ＣＰＵ２０８が、復帰信号を受信したと判別した場合はステップＳ８０９に進み、そうでない場合はステップＳ８０７を繰り返す。
【００９０】
ステップＳ８０９では、ＣＰＵ２０８は、表示部２０２、およびタッチパネル２０４への電力供給を再開させ、表示部２０２、およびタッチパネル２０４をオンにする。
【００９１】
ステップＳ８１１では、ＣＰＵ２０８は、ＲＡＭ２１２に一時退避させていた描画データを読み出し、ステップＳ８１３では、ＣＰＵ２０８は、読み出した描画データを表示させる。
（まとめ）
上記実施例では、スタイラス１０、およびタブレット２０が、通常モードからスリープモードに移行する場合の処理動作について説明した。
【００９２】
しかしながら通常モードからスリープモードへの移行ではなく、スタイラス１０、およびタブレット２０の電源をオフにするようにしてもよい。
【００９３】
また、タブレット２０上でアプリケーション等のソフトウェアが起動している場合は、当該アプリケーションにかかるデータもＲＡＭ２１２に退避するようにしてもよい。
【００９４】
また、図２の情報入力装置をハードウェア、或いは、ハードウェアとソフトウェアの組み合わせによって構成することもできる。
【００９５】
ソフトウェアを用いてを情報入力装置を構成する場合、ソフトウェアによって実現される部位についてのブロック図は、その部位の機能ブロック図を表すことになる。
【００９６】
ソフトウェアによって実現される機能はプログラムとして記述され、当該プログラムがプログラム実行装置（例えば、パーソナルコンピュータなど。）によって実行されることによって、その機能が実現される。
【００９７】
具体的には、例えば、図２のブロック図において図示されないプログラム格納用のフラッシュメモリに格納されたプログラムをＣＰＵ１０４およびＣＰＵ２０８に実行させることで、上述の各機能を実現することができる。
【００９８】
以上、本発明の一実施例について説明したが、本発明はこれらの実施例に限定されず、その要旨の範囲内で変形及び変更が可能である。
【符号の説明】
【００９９】
１０２    加速度センサ
１０４    ＣＰＵ
１０６    通信Ｉ／Ｆ
２０２    表示部
２０４    タッチパネル
２０６    通信Ｉ／Ｆ
２０８    ＣＰＵ
２１０    ＲＯＭ
２１２    ＲＡＭ
【図１】
2014071517.tif 000003
【図２】
2014071517.tif 000004
【図３】
2014071517.tif 000005
【図４】
2014071517.tif 000006
【図５】
2014071517.tif 000007
【図６】
2014071517.tif 000008
【図７】
2014071517.tif 000009
【図８】
2014071517.tif 000010